(57)【要約】【課題】記録された測定結果データを失うことなく、それらの中から統計値算出に必要なデータを的確に選択することのできる生体情報表示装置を提供すること。【解決手段】生体情報表示装置は、複数回分の第１の測定結果についての結果情報として、たとえば、複数回分の測定値を表示する（Ｓ２０２）。そして、たとえば第１の測定結果のうち、ユーザより除外対象のデータの指定を受け付けることにより、ユーザからの指示に基づいて、統計値算出に用いる第２の測定結果を特定する（Ｓ２０４，２０６）。そして、特定された第２の測定結果についての統計値を算出し（Ｓ２０８）、算出した統計値を表示する（Ｓ２１０）。【選択図】図１０
2010088576.tif 000002
【特許請求の範囲】
【請求項１】
生体情報に関する複数回分の測定結果の統計値を算出および表示することのできる生体情報表示装置であって、
表示手段と、
ユーザからの指示を受け付けるための操作手段と、
複数回分の第１の測定結果を記憶するための記憶手段と、
前記第１の測定結果のうち、統計値の算出に用いる第２の測定結果を特定するための制御を行なう特定制御手段とを備え、
前記特定制御手段は、前記第１の測定結果についての結果情報が表示された場合に、前記操作手段からの指示信号に基づいて、前記第２の測定結果を特定するための特定処理手段を含み、
特定された前記第２の測定結果についての統計値を算出するための第１の算出手段をさらに備え、
前記表示手段は、算出された前記統計値を表示する、生体情報表示装置。
【請求項２】
前記第１の測定結果は、各々、第１の測定値データを含み、
前記特定制御手段は、前記結果情報として、前記第１の測定値データを表示し、
前記第１の算出手段は、前記第２の測定結果それぞれに含まれる第２の測定値データの統計値を算出する、請求項１に記載の生体情報表示装置。
【請求項３】
各前記第１の測定値データは、オシロメトリック法に従い算出された血圧値のデータであり、
各前記第１の測定結果は、複数の脈波振幅値データ、および、前記複数の脈波振幅値データそれぞれと対応付けられた複数の圧力値データをさらに含み、
前記特定制御手段は、前記結果情報として、さらに、カフ圧軸に沿った脈波振幅のグラフを表示する、請求項２に記載の生体情報表示装置。
【請求項４】
前記特定制御手段は、前記第１の測定結果に基づいて、各測定値の信頼率を算出するための第２の算出手段をさらに含み、
前記表示手段は、前記結果情報とともに、各測定値データと対応付けて前記信頼率をさらに表示する、請求項２または３に記載の生体情報表示装置。
【請求項５】
前記特定制御手段は、前記信頼率に基づいて、前記第１の測定値データのうち、ユーザの指定候補を抽出するための抽出手段をさらに含み、
前記表示手段は、前記結果情報を表示する際に、前記指定候補として抽出された測定値データを、他の測定値データと識別可能に表示する、請求項４に記載の生体情報表示装置。
【請求項６】
前記第１の測定結果は、各々、オシロメトリック法に従い算出された血圧値のデータである第１の測定値データ、および、脈波関連情報を含み、
各前記脈波関連情報は、複数の脈波振幅値データ、および、前記複数の脈波振幅値データそれぞれと対応付けられた複数の圧力値データをさらに含み、
前記特定制御手段は、前記脈波関連情報に基づいて、前記結果情報として、前記第１の測定結果ごとに、カフ圧軸に沿った脈波振幅のグラフを表示する、請求項１に記載の生体情報表示装置。
【請求項７】
前記第１の算出手段は、前記第２の測定結果それぞれに含まれる脈波波形の統計値を算出する、請求項６に記載の生体情報表示装置。
【請求項８】
被測定者の所定の測定部位に巻き付けるためのカフと、
前記カフ内の圧力を調整するための調整手段と、
前記カフ内の圧力を表わすカフ圧を検出するための検出手段と、
前記検出手段より検出されたカフ圧に基づいて、前記被測定者の血圧値を測定するための測定処理手段とをさらに備え、
前記記憶手段は、前記測定処理手段により測定された血圧値のデータを、前記測定値データとして記憶する、請求項３〜７のいずれかに記載の生体情報表示装置。
【請求項９】
前記特定処理手段は、ユーザより、前記第１の測定結果のうち除外対象のデータの指定を受け付け、ユーザにより指定された測定結果以外の測定結果を、前記第２の測定結果として特定する、請求項１〜８のいずれかに記載の生体情報表示装置。
【請求項１０】
前記特定処理手段は、ユーザより、前記第１の測定結果のうち算出対象のデータの指定を受け付け、ユーザにより指定された測定結果を、前記第２の測定結果として特定する、請求項１〜９のいずれかに記載の生体情報表示装置。
【請求項１１】
前記第１の測定結果は、所定回数分の測定結果であることが予め定められる、請求項１〜１０のいずれかに記載の生体情報表示装置。
【請求項１２】
前記第１の測定結果は、ユーザより指定された分類種別に対応付けられた測定結果であることが予め定められる、請求項１〜１０のいずれかに記載の生体情報表示装置。
【請求項１３】
前記分類種別は、時間帯、被測定者の識別情報、および、測定条件のうちの少なくともいずれかであることが予め定められる、請求項１２に記載の生体情報表示装置。
【請求項１４】
生体情報測定装置と生体情報表示装置とを備えた生体情報表示システムであって、
前記生体情報測定装置は、
被測定者の生体情報を測定するための測定処理手段と、
前記測定処理手段により測定された複数回分の第１の測定結果を出力するための出力手段とを含み、
前記生体情報表示装置は、
前記第１の測定結果を入力するための入力手段と、
表示手段と、
ユーザからの指示を受け付けるための操作手段と、
前記第１の測定結果のうち、統計値の算出に用いる第２の測定結果を特定するための制御を行なう特定制御手段とを含み、
前記特定制御手段は、前記第１の測定結果についての結果情報が表示された場合に、前記操作手段からの指示信号に基づいて、前記第２の測定結果を特定するための特定処理手段を有し、
特定された前記第２の測定結果についての統計値を算出するための第１の算出手段をさらに含み、
前記表示手段は、算出された前記統計値を表示する、生体情報表示システム。
【請求項１５】
生体情報に関する複数回分の測定結果の統計値を算出および表示するための統計処理方法であって、
複数回分の第１の測定結果についての結果情報を表示するステップと、
前記結果情報が表示された場合に、ユーザからの指示に基づいて、前記第１の測定結果のうち、統計値の算出に用いる複数の前記第２の測定結果を特定するステップと、
特定された前記第２の測定結果についての統計値を算出するステップと、
算出された前記統計値を表示するステップとを備える、統計処理方法。
【請求項１６】
生体情報に関する複数回分の測定結果の統計値を算出および表示するための統計処理プログラムであって、
複数回分の第１の測定結果についての結果情報を表示するステップと、
前記結果情報が表示された場合に、ユーザからの指示に基づいて、前記第１の測定結果のうち、統計値の算出に用いる複数の前記第２の測定結果を特定するステップと、
特定された前記第２の測定結果についての統計値を算出するステップと、
算出された前記統計値を表示するステップとをコンピュータに実行させる、統計処理プログラム。
【発明の詳細な説明】
【技術分野】
【０００１】
本発明は、生体情報表示装置、生体情報表示システム、統計処理方法および統計処理プログラムに関し、特に、複数回分の生体情報の測定結果についての統計値を算出および表示することのできる生体情報表示装置、生体情報表示システム、統計処理方法および統計処理プログラムに関する。
【背景技術】
【０００２】
生体情報たとえば血圧を測定し、その測定結果データを記録しておき表示させる機能は、医療機器や家庭向け健康機器で一般に搭載されている。記録された測定結果データを後に確認（解析）できれば、治療方針やトレンドなどの確認が容易であり、便利である。一方で、測定時の種々のノイズ等により、明らかに異常値を示してしまったデータがあるにもかかわらず、そのデータまでを解析に使うことは好ましくない。
【０００３】
このような問題に対応するために、たとえば特許文献１，２のような提案がなされている。特許文献１には、メモリに記憶された血圧データのうち、基準の血圧データの測定時刻から所定時間（例：１０分）内の測定時刻と対応付けられた血圧データを特定データとして検索し、特定データに基づいて算出された平均値が評価指標として表示されることが記載されている。特許文献２には、メモリに記憶された、測定した複数の測定結果のうち使用者が消去したい測定結果のみを消去することができる血圧計が記載されている。
【特許文献１】特開２００７−４４４１９号公報
【特許文献２】特開２００５−２２４４４０号公報
【発明の開示】
【発明が解決しようとする課題】
【０００４】
上述の特許文献１の発明によると、血圧値の分布で平均値算出に用いるか否かが判断される。したがって、本来は正しく測定されたにもかかわらず平均値の算出に反映されない恐れもある。
【０００５】
また、特許文献２の発明は、データそのものの消去を目的としており、医療的知識が不十分な操作者が誤った判断で削除してしまう恐れがある。
【０００６】
本発明は、上記のような問題を解決するためになされたものであって、その目的は、記録された測定結果データを失うことなく、それらの中から統計値算出に必要なデータを的確に選択することのできる生体情報表示装置、生体情報表示システム、統計処理方法および統計処理プログラムを提供することである。
【課題を解決するための手段】
【０００７】
この発明のある局面に従う生体情報表示装置は、生体情報に関する複数回分の測定結果の統計値を算出および表示することのできる生体情報表示装置であって、表示手段と、ユーザからの指示を受け付けるための操作手段と、複数回分の第１の測定結果を記憶するための記憶手段と、第１の測定結果のうち、統計値の算出に用いる複数の第２の測定結果を特定するための制御を行なう特定制御手段とを備え、特定制御手段は、第１の測定結果についての結果情報が表示された場合に、操作手段からの指示信号に基づいて、第２の測定結果を特定するための特定処理手段を含み、特定された第２の測定結果についての統計値を算出するための第１の算出手段をさらに備え、表示手段は、算出された統計値を表示する。
【０００８】
好ましくは、第１の測定結果は、各々、第１の測定値データを含み、特定制御手段は、結果情報として、第１の測定値データを表示し、第１の算出手段は、第２の測定結果それぞれに含まれる第２の測定値データの統計値を算出する。
【０００９】
好ましくは、各第１の測定値データは、オシロメトリック法に従い算出された血圧値のデータであり、各第１の測定結果は、複数の脈波振幅値データ、および、複数の脈波振幅値データそれぞれと対応付けられた複数の圧力値データをさらに含み、特定制御手段は、結果情報として、さらに、カフ圧軸に沿った脈波振幅のグラフを表示する。
【００１０】
好ましくは、特定制御手段は、第１の測定結果に基づいて、各測定値の信頼率を算出するための第２の算出手段をさらに含み、表示手段は、結果情報とともに、各測定値データと対応付けて信頼率をさらに表示する。
【００１１】
好ましくは、特定制御手段は、信頼率に基づいて、第１の測定値データのうち、ユーザの指定候補を抽出するための抽出手段をさらに含み、表示手段は、結果情報を表示する際に、指定候補として抽出された測定値データを、他の測定値データと識別可能に表示する。
【００１２】
好ましくは、第１の測定結果は、各々、オシロメトリック法に従い算出された血圧値のデータである第１の測定値データ、および、脈波関連情報を含み、各脈波関連情報は、複数の脈波振幅値データ、および、複数の脈波振幅値データそれぞれと対応付けられた複数の圧力値データをさらに含み、特定制御手段は、脈波関連情報に基づいて、結果情報として、第１の測定結果ごとに、カフ圧軸に沿った脈波振幅のグラフを表示する。
【００１３】
好ましくは、第１の算出手段は、第２の測定結果それぞれに含まれる脈波波形の統計値を算出する。
【００１４】
好ましくは、被測定者の所定の測定部位に巻き付けるためのカフと、カフ内の圧力を調整するための調整手段と、カフ内の圧力を表わすカフ圧を検出するための検出手段と、検出手段より検出されたカフ圧に基づいて、被測定者の血圧値を測定するための測定処理手段とをさらに備え、記憶手段は、測定処理手段により測定された血圧値のデータを、測定値データとして記憶する。
【００１５】
好ましくは、特定処理手段は、ユーザより、第１の測定結果のうち除外対象のデータの指定を受け付け、ユーザにより指定された測定結果以外の測定結果を、第２の測定結果として特定する。
【００１６】
好ましくは、特定処理手段は、ユーザより、第１の測定結果のうち算出対象のデータの指定を受け付け、ユーザにより指定された測定結果を、第２の測定結果として特定する。
【００１７】
好ましくは、第１の測定結果は、所定回数分の測定結果であることが予め定められる。
好ましくは、第１の測定結果は、ユーザより指定された分類種別に対応付けられた測定結果であることが予め定められる。
【００１８】
好ましくは、分類種別は、時間帯、被測定者の識別情報、および、測定条件のうちの少なくともいずれかであることが予め定められる。
【００１９】
この発明の他の局面に従う生体情報表示システムは、生体情報測定装置と生体情報表示装置とを備え、生体情報測定装置は、被測定者の生体情報を測定するための測定処理手段と、測定処理手段により測定された複数回分の第１の測定結果を出力するための出力手段とを含み、生体情報表示装置は、第１の測定結果を入力するための入力手段と、表示手段と、ユーザからの指示を受け付けるための操作手段と、第１の測定結果のうち、統計値の算出に用いる複数の第２の測定結果を特定するための制御を行なう特定制御手段とを含み、特定制御手段は、第１の測定結果についての結果情報が表示された場合に、操作手段からの指示信号に基づいて、第２の測定結果を特定するための特定処理手段を有し、特定された第２の測定結果についての統計値を算出するための第１の算出手段をさらに含み、表示手段は、算出された統計値を表示する。
【００２０】
この発明のさらに他の局面に従う統計処理方法は、生体情報に関する複数回分の測定結果の統計値を算出および表示するための統計処理方法であって、複数回分の第１の測定結果についての結果情報を表示するステップと、結果情報が表示された場合に、ユーザからの指示に基づいて、第１の測定結果のうち、統計値の算出に用いる複数の第２の測定結果を特定するステップと、特定された第２の測定結果についての統計値を算出するステップと、算出された統計値を表示するステップとを備える。
【００２１】
この発明のさらに他の局面に従う統計処理プログラムは、生体情報に関する複数回分の測定結果の統計値を算出および表示するための統計処理プログラムであって、複数回分の第１の測定結果についての結果情報を表示するステップと、結果情報が表示された場合に、ユーザからの指示に基づいて、第１の測定結果のうち、統計値の算出に用いる複数の第２の測定結果を特定するステップと、特定された第２の測定結果についての統計値を算出するステップと、算出された統計値を表示するステップとをコンピュータに実行させる。
【発明の効果】
【００２２】
本発明によると、操作者が判断した異常なデータ（測定結果）を除いた演算ができるため、高精度な統計値を提示することができる。また、データそのものは削除しないため、いつでもデータ選択の誤りをリセットすることができる。その結果、操作者は、演算に必要なデータのみを安心して選択でき、信頼性の高い生体情報表示装置を提供することができる。
【発明を実施するための最良の形態】
【００２３】
本発明の実施の形態について図面を参照しながら詳細に説明する。なお、図中同一または相当部分には同一符号を付してその説明は繰返さない。
【００２４】
本発明の生体情報表示装置は、生体情報に関する複数回分の測定結果の統計値を算出および表示する。本明細書において、「生体情報」とは、専門医（医療従事者）による治療指針やトレンドの確認などに用いられる情報であり、血圧情報および体組成（体脂肪率、基礎代謝、など）のうち少なくともいずれかを含む。なお、「血圧情報」とは、循環器系の特徴を示す情報であり、脈波、および、脈波より算出可能な指標、たとえば、最高血圧、最低血圧、平均血圧値、脈拍、ＡＩ（Augmentation Index）値等を含む。
【００２５】
［実施の形態１］
＜外観および構成について＞
はじめに、本発明の実施の形態１に係る生体情報表示装置の外観および構成について説明する。本実施の形態では、生体情報は血圧（最高血圧および最低血圧）であることとして説明する。
【００２６】
（外観について）
図１は、本発明の実施の形態１に係る生体情報表示装置１の外観斜視図である。生体情報表示装置１は、血圧を測定する機能も有しており、血圧計として機能する。
【００２７】
図１を参照して、生体情報表示装置１は、本体部１０と、被測定者の所定の測定部位（たとえば上腕）に巻き付け可能なカフ２０と、本体部１０およびカフ２０とを接続するエアチューブ３１とを備える。本体部１０の表面には、たとえば液晶等により構成される表示部４０と、ユーザ（代表的に医師などの医療従事者）からの指示を受付けるための操作部４１とが配置されている。
【００２８】
操作部４１は、たとえば、電源をＯＮまたはＯＦＦするための指示の入力を受付ける電源スイッチ４１Ａと、測定開始の指示を受付けるための測定スイッチ４１Ｂと、各種の設定処理や記憶値読出しの指示を受付けるための設定スイッチ４１Ｃと、カーソルスイッチ４１Ｄとを有する。カーソルスイッチ４１Ｄは、左方向スイッチ４１１、右方向スイッチ４１２、上方向スイッチ４１３、下部向スイッチ４１４および決定スイッチ４１５を含む。
【００２９】
このような生体情報表示装置１の本体部１０は、たとえば、診療室のデスクまたは専用の台に載置される。
【００３０】
（ハードウェア構成について）
図２は、本発明の実施の形態１に係る生体情報表示装置１のハードウェア構成を表わすブロック図である。
【００３１】
図２を参照して、生体情報表示装置１のカフ２０は、空気袋２１を含む。空気袋２１は、エアチューブ３１を介して、エア系３０に接続される。
【００３２】
本体部１０は、上述の表示部４０および操作部４１に加え、エア系３０と、各部を集中的に制御し、各種演算処理を行なうためのＣＰＵ（Central Processing Unit）１００と、ＣＰＵ１００に所定の動作をさせるプログラムや各種データを記憶するためのメモリ部４２と、測定された血圧を記憶するための不揮発性メモリ（たとえばフラッシュメモリ）４３と、ＣＰＵ１００に電力を供給するための電源４４と、計時動作を行なう計時部４５と、外部よりデータの入力を受付けるためのデータ入出力部４６とを含む。
【００３３】
エア系３０は、空気袋２１内の圧力（カフ圧）を検出するための圧力センサ３２と、カフ圧を加圧するために、空気袋２１に空気を供給するためのポンプ５１と、空気袋２１の空気を排出しまたは封入するために開閉される弁５２とを含む。
【００３４】
本体部１０は、上記エア系３０に関連して、発振回路３３と、ポンプ駆動回路５３と、弁駆動回路５４とをさらに含む。
【００３５】
圧力センサ３２は、静電容量形の圧力センサであり、カフ圧により容量値が変化する。発振回路３３は、圧力センサ３２の容量値に応じた発振周波数の信号をＣＰＵ１００に出力する。ＣＰＵ１００は、発振回路３３から得られる信号を圧力に変換し圧力を検知する。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００３６】
ポンプ５１、弁５２、ポンプ駆動回路５３および弁駆動回路５４は、カフ圧を調整するための調整機構５０を構成する。なお、カフ圧を調整するためのデバイスは、これらに限定されるものではない。
【００３７】
データ入出力部４６は、たとえば、着脱可能な記録媒体１３２からプログラムやデータの読み出しおよび書き込みをする。また／あるいは、データ入出力部４６は、外部の図示しないコンピュータから通信回線を介してプログラムやデータの送受信ができてもよい。
【００３８】
なお、カフ２０には空気袋２１が含まれることとしたが、カフ２０に供給される流体は空気に限定されるものではなく、たとえば液体やゲルであってもよい。あるいは、流体に限定されるものではなく、マイクロビーズなどの均一な微粒子であってもよい。
【００３９】
（機能構成について）
図３は、本発明の実施の形態１における生体情報表示装置１の機能構成を示す機能ブロック図である。なお、図３には、説明を簡単にするために、ＣＰＵ１００の有する各部との間で直接的に信号を授受する周辺のハードウェアのみ示されている。
【００４０】
図３を参照して、ＣＰＵ１００は、測定処理部１０２と、特定制御部１０４と、統計値算出部１０６とを含む。
【００４１】
測定処理部１０２は、発振回路３３、ポンプ駆動回路５３および弁駆動回路５４と接続され、所定のアルゴリズムにより、被測定者の血圧値（最高血圧、最低血圧）を測定するための処理を行なう。なお、血圧算出のアルゴリズムには、脈波振幅の平滑化などの補正アルゴリズムが含まれないものとする。本実施の形態において、測定処理部１０２は、所定回数、連続測定を実行するものとするが、限定的ではない。測定処理部１０２は、測定した血圧値を含む測定結果データをフラッシュメモリ４３に格納する。フラッシュメモリ４３のデータ構造については後述する。
【００４２】
上記測定処理部１０２は、オシロメトリック法に従い血圧値を算出する。ここで、まず、図４〜図６を用いて、オシロメトリック法による血圧算出方法について簡単に説明する。
【００４３】
図４は、カフ圧が徐々に減圧される過程で得られる脈波振幅の典型例を示す図である。図４（Ａ）には、検出されるカフ圧（単位：mmHg）の信号が時間軸に沿って示される。また、図４（Ｂ）には、（Ａ）のグラフと同じ時間軸に沿って、フィルタ処理後の脈波成分が示される。図４（Ｃ）には、図４（Ｂ）に示した１拍ごとの脈波成分の振幅値が、カフ圧軸に沿って示される。図４（Ｃ）のカフ圧軸に示したカフ圧ＰＣ１ａは、脈波が検出され始める時点の圧力値であり、カフ圧ＰＣ２ａは、脈波が検出されなくなる時点の圧力値である。
【００４４】
カフの内圧が最高血圧よりも高くなれば止血され、徐々に圧力を開放することで、血流が再開する。オシロメトリック法は、この過程で脈波振幅が図４（Ｃ）のように変化する特性を利用したものである。
【００４５】
図５は、オシロメトリック法による血圧算出方法を説明するための図である。図５（Ａ）には、徐々に変化するカフ圧（単位：mmHg）が時間軸に沿って示され、図５（Ｂ）には、同一の時間軸に沿って、カフ圧に重畳する１拍ごとの脈波振幅（単位：mmHg）が部分的に示されている。
【００４６】
図５を参照して、被測定者の最高血圧以上（図中「ＰＣ１」）までカフ圧を加圧した後で、一定の速度で減圧する。そして、徐々に減圧する段階で、検出されるカフ圧に重畳する脈波振幅に所定のアルゴリズムを適用して最高血圧および最低血圧を算出する。オシロメトリック法では、カフ圧の減圧中に脈波振幅が最大となった点ＡＭＡＸに対応するカフ圧が平均血圧（図中「ＭＡＰ」）であることが判明している。脈波振幅最大点が検出されると、最大点ＡＭＡＸに所定の定数（たとえば０．５）を乗じた値を閾値ＴＨ＿ＳＹＳとし、最大点ＡＭＡＸに所定の定数（たとえば０．７）を乗じた値を閾値ＴＨ＿ＤＩＡとする。脈波振幅の包絡線６００と閾値ＴＨ＿ＳＹＳとが交わる点に対応する、平均血圧（ＭＡＰ）よりも高いカフ圧を最高血圧（図中「ＳＹＳ」）と決定する。脈波振幅の包絡線６００と閾値ＴＨ＿ＤＩＡとが交わる点に対応する、平均血圧（ＭＡＰ）よりも低いカフ圧を最低血圧（図中「ＤＩＡ」）と決定する。
【００４７】
この図からも分かるように、オシロメトリック法によると、脈波振幅の包絡線の形状が、血圧値算出の精度を左右するといえる。なお、図５には、減圧測定方式（減圧時に測定される脈波に基づいて血圧を算出する方式）を例に示したが、加圧測定方式であっても同じことがいえる。
【００４８】
図６は、脈波にノイズが混入した場合の脈波振幅の例を示す図である。図６（Ａ）、（Ｂ）および（Ｃ）のグラフは、それぞれ、図４（Ａ）、（Ｂ）および（Ｃ）に対応している。図６（Ｃ）には、複数の脈波振幅値のうち、明らかに異常な値の脈波振幅ＥＲが存在している。このような複数の脈波振幅値に基づいて血圧が算出されると、振幅ＥＲが検出された時点のカフ圧が平均血圧として決定されることになるため、正確でない血圧値が算出されてしまう。また、ノイズを自動で検出し、検出したノイズを除去する補正アルゴリズムを搭載している血圧計であっても、ほとんどが、内部でどのような処理が行なわれているのか分からないものである。また、分かったとしても、医療従事者にとってみれば誤った補正処理が行なわれている場合も考えられ、そのような場合には、再度測定し直さなければならない。
【００４９】
図６（Ｃ）に示したような異常な脈波振幅ＥＲの存在は、血圧に関する知識を十分に有する医療従事者（医療関係者）であれば容易に発見することができる。また、医療従事者であれば、複数回分の血圧値をみるだけでも、異常な血圧値、すなわち、ノイズが重畳した血圧値であることを判断することができる。
【００５０】
本実施の形態では、統計値算出の前に、対象となる複数の測定結果を表示することで、表示された複数の測定結果のうち、統計値算出に相応しくない測定結果の判断を可能にする。また、本実施の形態では、ユーザより除外対象として指定された測定結果を統計値算出に用いないようにするが、メモリ（フラッシュメモリ４３）から削除しないようにすることで、判断を誤ったとしても何度でも算出しなおすことができる。その結果、精度の良い統計値を算出することができるため、医療従事者による被測定者の診断を支援することができる。また、除外対象として指定した測定結果がメモリから削除されないため、医療従事者は安心して指定のための操作をすることができる。
【００５１】
再び図３を参照して、特定制御部１０４は、複数の第１の測定結果のうち、統計値の算出に用いる少なくとも１つの第２の測定結果を特定するための制御を行なう。「複数の第１の測定結果」は、本実施の形態では、たとえば、直近の所定回数分の測定結果である。特定制御部１０４は、ユーザより統計値算出の指示が入力された場合、または、血圧の連続測定が終了した場合に、所定回数分の測定結果についての結果情報を表示する。表示される結果情報は、少なくとも、フラッシュメモリ４３に記憶された第１の第１の血圧値データを含んでおり、さらに／または、第１の血圧値データごとの脈波振幅情報（たとえばグラフ）を含むことが好ましい。
【００５２】
特定制御部１０４は、特定処理部１１６を含む。特定処理部１１６は、上記結果情報が表示された場合に、操作部４１からの指示信号に基づいて、統計値の算出に用いる第２の測定結果を特定する処理を実行する。より具体的には、第１の血圧値データのうち、統計値の算出に用いる複数の第２の血圧値データを特定する。また、特定処理部１１６は、操作部４１より所定の指示が入力された場合には、第２の血圧値データに関する指定をリセットすることもできる。
【００５３】
なお、図３には、説明の簡単のために、後述の変形例で用いる信頼率算出部１１２および抽出部１１４も示しているが、これらはいずれも本実施の形態では特定制御部１０４に含まれないものとする。
【００５４】
統計値算出部１０６は、特定処理部１１６により特定された第２の測定結果の統計値を算出する。算出された統計値は、表示部４０に表示される。
【００５５】
なお、上述の各機能ブロックの動作は、メモリ部４２中に格納されたソフトウェアを実行することで実現されてもよいし、少なくとも１つについては、ハードウェアで実現されてもよい。
【００５６】
＜動作について＞
図７は、本発明の実施の形態１における血圧測定処理の流れを示すフローチャートである。このフローチャートに従うプログラムは、メモリ部４２に予め記憶されており、ＣＰＵ１００がこのプログラムを読出して実行することにより、血圧測定処理の機能が実現される。なお、以下の処理は、電源スイッチ４１Ａの押下が検知された場合に開始されるものとする。電源スイッチ４１Ａを含む操作部４１の操作は、医療従事者により行なわれることが想定される。したがって、たとえば、電源スイッチ４１Ａの押下後、所定の操作（たとえば複数のスイッチの同時押下など）が行なわれた場合にのみ以降の処理を開始することとしてもよい。あるいは、生体情報表示装置１に、ユーザの認証情報を検出するための認証情報検出部４８（図２参照）を備えて、ＣＰＵ１００が認証情報検出部４８が検出した認証情報と、予めたとえばメモリ部４２に記憶しておいた認証情報と一致した場合にのみ、以降の処理が開始されてもよい。認証情報としては、たとえば、指紋、あるいは、ＩＤカードに記録された情報が採用され得る。
【００５７】
図７を参照して、初めに、ＣＰＵ１００は、操作部４１からの信号に基づいて、患者ＩＤの入力を受付ける（ステップＳ１００）。その後、測定スイッチ４１Ｂが押下されると、公知の手法により、血圧値の連続測定が実行される。
【００５８】
具体的には、測定処理部１０２は、初期化処理を実行する（ステップＳ１０２）。具体的には、メモリ部４２の所定の領域を初期化し、空気袋２１の空気を排気し、圧力センサ３２の補正を行なう。その後、測定可能状態になると、測定処理部１０２は、ポンプ５１を駆動開始し、空気袋２１のカフ圧を徐々に上昇させる（ステップＳ１０４）。
【００５９】
徐々に加圧する過程において、血圧測定のための所定レベルにまでカフ圧が達すると、測定処理部１０２は、カフ圧を徐々に減圧させる（ステップＳ１０６）。具体的には、ポンプ５１を停止し、次に閉じていた弁５２を徐々に開いて、空気袋２１の空気を徐々に排気する。測定処理部１０２は、減圧期間中、発振回路３３からの信号を取得してカフ圧を検知する。そして、検知したカフ圧データを時系列に内部メモリに記録する。なお、本実施の形態では、カフ圧の減圧過程において脈波を測定することとするが、カフ圧の加圧過程において測定することとしてもよい。
【００６０】
次に、測定処理部１０２は、上述したオシロメトリック法に従い、測定された脈波から振動成分である脈波振幅（複数拍分の脈波振幅値）を抽出し、血圧値（最高血圧、最低血圧）および脈拍数を算出する（ステップＳ１０８）。抽出した脈波振幅値は、各々、カフ圧データまたは時間データと対応付けられて内部メモリに記憶される。血圧値が算出されると、今回の測定結果をフラッシュメモリ４３の対応する測定結果記憶領域に記憶する（ステップＳ１０９）。
【００６１】
ここで、本実施の形態におけるフラッシュメモリ４３のデータ構造の一例を図８に示す。図８を参照して、フラッシュメモリ４３は、患者ＩＤごとに測定結果領域が設けられている。各測定結果領域には、１回の測定ごとの測定結果データＭ１〜Ｍｍ（ただし、ｍ＝１，２，３，…）が格納される。各測定結果データＭｋには、測定日時を表わす日時データ８１、最高血圧データ、最低血圧データおよび脈拍数データを含む測定値データ８２、および、脈波関連情報８３が含まれる。なお、測定値データ８２は脈拍数データを含まなくてもよい。また、測定値データと測定日時データと脈波関連情報とが測定ごとに対応付けられていればよく、このような格納形式に限定されるものではない。また、必ずしも脈波関連情報を測定結果データに含めなくてもよい。
【００６２】
上述の図７のステップＳ１０９では、ステップＳ１００で入力された患者ＩＤに対応する測定結果記憶領域に測定結果データが格納される。
【００６３】
次に、脈波関連情報８３のデータ構造の一例を図９に示す。図９を参照して、脈波関連情報８３には、３つの項目、すなわち、時間データを示す項目８３１と、カフ圧データを示す項目８３２と、抽出された脈波振幅データを示す項目８３３とが含まれる。カフ圧データは、カフ圧が検出された時間を表わす時間データに対応付けられて記憶され、かつ、脈波振幅データは、時間データまたはカフ圧データに対応付けられて記憶されればよい。なお、脈波振幅データには、「０」も含む数値が記録されるものとする。
【００６４】
再び図７を参照して、測定処理部１０２は、所定回数Ｎ（たとえば６回）の測定が実行されたか否かを判断する（ステップＳ１１０）。６回未満であると判断した場合（ステップＳ１１０においてＮＯ）、ステップＳ１０２に戻り、上記一連の処理を繰返す。一方、６回測定が終了したと判断した場合（ステップＳ１１０においてＹＥＳ）、統計処理を実行する（ステップＳ１１２）。
【００６５】
統計処理については、図１０のサブルーチンおよび図１１を用いて説明する。図１０は、本発明の実施の形態１における統計処理を示すフローチャートである。図１１は、本発明の実施の形態１における統計処理の際に表示される画面の遷移例を示す図である。
【００６６】
図１０を参照して、統計値算出部１０６は、まず、連続測定されたＮ回（６回）分の測定値（最高血圧、最低血圧、脈拍数）の統計値、たとえば平均値を算出する（ステップＳ２００）。なお、この統計処理を開始する際には、たとえば、６回分の測定結果データのうち日時データ８１および測定値データ８２がフラッシュメモリ４３より読み出されて、内部メモリに展開されているものとする。
【００６７】
次に、特定制御部１０４は、算出された平均値および測定結果リストを表示部４０に表示する（ステップＳ２０２）。ここでの画面表示例が図１１（Ａ）に示される。
【００６８】
図１１（Ａ）を参照して、表示部４０の所定の領域６１には、ステップＳ２００で算出された６回分の測定値の統計値が表示されている。具体的には、最高血圧の平均値、最低血圧の平均値および脈拍数の平均値が表示されている。領域６１の下部には、測定結果リスト６２が表示されている。測定結果リスト６２は、時刻の項目、血圧値（最高血圧／最低血圧）の項目、および脈拍の項目で構成されており、６回分の測定結果データそれぞれに含まれるこれらの項目の値が、リスト表示されている。以下の説明において、測定結果リスト６２を構成する各行を「測定データ」という。
【００６９】
医療従事者は、測定結果リスト６２を構成する６つの測定データを見て、異常または統計値算出に相応しくないと思われる血圧値が存在するかどうかを判断することができる。
【００７０】
次に、特定制御部１０４は、操作部４１を介してデータ選択の指示が入力されたか否かを判断する（ステップＳ２０３）。データ選択の指示が入力されなかった場合（ステップＳ２０３においてＮＯ）、処理を終了する。
【００７１】
一方、データ選択の指示が入力された場合には（ステップＳ２０３においてＹＥＳ）、特定制御部１０４の特定処理部１１６は、医療従事者より除外候補の測定データの指定を受付ける（ステップＳ２０４）。除外候補の測定データの指定を受付ける際の、表示画面例が図１１（Ｂ），（Ｃ）に示す。
【００７２】
図１１（Ｂ）には、カーソルスイッチ４１Ｄが操作された結果、除外候補として１つの測定データ７０が選択された例が示される。特定処理部１１６は、たとえば、除外候補として選択された測定データ７０に含まれる測定値（以下「選択された測定値」という）が除外対象（この時点では除外候補）のデータであることを識別するためのフラグ（Ｆ＝１）（以下「除外フラグ」という）を、選択された測定値に対応付けて記憶する。
【００７３】
測定データ７０が選択されている状態で、たとえば決定スイッチ４１５が押下されると、特定処理部１１６は、測定データ７０に対応する脈波関連情報８３をフラッシュメモリ４３より読出して、図１１（Ｃ）のような画面を表示することが好ましい。
【００７４】
図１１（Ｃ）では、測定結果リスト６２に代えて、カフ圧軸（または時間軸）に沿った脈波振幅を表わすグラフ７２が表示されている。このグラフ７２は、選択された測定値に含まれる血圧値（以下「選択された血圧値」という）の算出に用いられた、カフ２０の加圧に伴なう脈波振幅の変化を示している。このようなグラフ７２を表示することで、医療従事者は、選択された血圧値が、ノイズを含んだ異常な値であるか否か、つまり、統計値の算出に用いるのに相応しいデータかどうかを容易に判断することができる。
【００７５】
グラフ７２の下には、たとえば、選択された測定値を除外対象とすることを確定するためのボタン７３Ａおよび、選択された測定値を除外対象としないことを確定するためのボタン７３Ｂが表示される。たとえば、ボタン７３Ａが押下された場合（ステップＳ２０６においてＹＥＳ）、特定処理部１１６により、除外フラグが立てられていない測定値、すなわち、ユーザにより指定された測定値が、平均値の算出に用いる測定値として特定される。これにより、統計値算出部１０６は、選択された測定値を除いた複数の測定値についての統計値を算出する（ステップＳ２０８）。具体的には、たとえば、除外フラグが立てられていない各測定値（最高血圧、最低血圧、脈拍数）の平均値を算出する。算出された平均値は、表示部４０に表示される（ステップＳ２１０）。
【００７６】
図１１（Ｄ）は、図１０のステップＳ２１０で表示される画面の一例を示す図である。図１１（Ｄ）を参照して、領域６１には、選択された測定値を除外後の平均値（最高血圧の平均値、最低血圧の平均値、脈拍数の平均値）が、表示される。また、測定結果リスト６２のうち、除外対象として確定された測定値を含む測定データ７０には、除外されたことを示すために、たとえば二重取消線が示されている。領域６１に表示された最高血圧の平均値および最低血圧の平均値の近傍には、少なくとも１つのデータを除外後の平均値であることを示すマーク（たとえば「＊」）７４が表示されることが好ましい。なお、マーク７４の表示に代えて、図示しないＬＥＤ（Light Emitting Diode）またはブザーにて、表示中の平均値が、除外後の平均値であることを報知するようにしてもよい。
【００７７】
図１１（Ｃ）に示したボタン７３Ｂが押下された場合（ステップＳ２０６においてＮＯ）、ステップＳ２０４に戻り、図１１（Ｂ）のような画面が再度表示される。
【００７８】
ステップＳ２１０の後、特定制御部１０４は、終了の指示が入力されたか否かを判断する（ステップＳ２１２）。終了の指示が入力されたと判断した場合（ステップＳ２１２においてＹＥＳ）、統計処理を終了する。一方、終了の指示が入力されない場合には（ステップＳ２１２においてＮＯ）、ステップＳ２１４に進む。
【００７９】
ステップＳ２１４において、特定制御部１０４は、リセットの指示が入力されたか否かを判断する。リセットの指示が入力されたと判断した場合（ステップＳ２１４においてＹＥＳ）、除外フラグをクリアすることにより、除外対象なしの状態にリセットして（ステップＳ２１６）、ステップＳ２０４に戻る。また、リセットの指示が入力されない場合には（ステップＳ２１４においてＮＯ）、除外フラグをクリアすることなくステップＳ２０４に戻る。
【００８０】
このように、本実施の形態では、平均値の算出から除外された測定結果データ自体をフラッシュメモリ４３から削除するものではないため、誤って除外対象として決定してしまったとしても、何度でも除外対象の特定をやり直すことができる。また、除外対象を選択させる際に、血圧値だけでなく、血圧値の算出に用いられた脈波振幅のグラフも表示されるため、医療従事者は、容易に、対応の血圧値が異常データであるかどうかを判断することができる。
【００８１】
なお、本実施の形態において、測定結果データの削除は、フラッシュメモリ４３の容量が所定の容量に達した場合にのみ自動的に行なわれてよい。このような場合、たとえば、最も古いデータが削除されてよい。
【００８２】
上記実施の形態では、選択された血圧値についてのみ脈波振幅値のグラフを表示することとしたが、表示部４０の表示領域が大きければ、Ｎ回分の血圧値とともに／代えて、Ｎ回分の脈波振幅のグラフを一度に表示してもよい。また、本実施の形態では、脈波振幅値のグラフを表示することとしたが、これに代えて、フィルタ後の脈波を時間軸に沿って表示してもよい。
【００８３】
また、図１０のフローチャートでは、統計処理に移行した時点で、Ｎ個分の測定値の統計値を算出して表示することとしたが、除外対象が確定された時点ではじめて統計値が算出および表示されてもよい。この場合、データ選択しないとの指示が入力された場合に（ステップＳ２０３においてＮＯ）、Ｎ個分の測定値の統計値が算出および表示されるものとする。
【００８４】
また、本実施の形態では、医療従事者より、除外対象の測定データを選択させることとしたが、逆に、Ｎ回分の測定データのうち、平均値算出に用いる測定データを選択させることとしてもよい。図１２は、本発明の実施の形態１における統計処理の際に表示される画面の他の遷移例を示す図である。
【００８５】
図１２（Ａ）は、図１０のステップＳ２０２において表示される画面の一例を示している。この場合、まだ平均値が算出されていないので、表示部４０の領域６１には、何も数値は表示されない。図１２（Ｂ）は、６回分の測定データのうち、３つの測定データ７０が平均値算出に用いるデータとして選択されている状態を示している。このように、１以上の測定データが選択されると、特定処理部１１６により、選択された測定値、すなわち、ユーザにより指定された測定値が、平均値の算出に用いる測定値として特定される。そのため、領域６１には、選択された３つの測定データ７０に含まれる各測定値の平均値が表示される。
【００８６】
また、本実施の形態では、Ｎ回連続測定が終了した後にＮ回分の測定結果を表示して、除外対象の測定データの指定を受け付けることとしたが、１回の測定が終わる度に測定結果を表示して、その都度除外対象とするかどうかを選択できてもよい。
【００８７】
また、連続測定の回数を所定回数としたが、ユーザ（医療従事者）が設定および変更可能であってもよい。また、連続測定機能を有するか否かにかかわらず、指定された被測定者（患者ＩＤ）に対応付けられた全ての測定値を対象としてもよい。
【００８８】
また、本実施の形態では、複数の被測定者が使用することを仮定していたが、携帯型の血圧計など１人の被測定者のみが使用するものであってもよい。その場合には、単純に、過去に測定された複数回分の血圧値（測定値）のうち直近の特定回数（たとえば所定回数）分の血圧値を対象としてもよい。
【００８９】
または、特定の時間帯（朝時間帯、夜時間帯など）、あるいは、特定の期間（１日、１週間、１ヵ月など）に測定された測定値を対象としてもよい。特定の時間帯および特定の期間は、各々、所定であってもよいし、ユーザにより指定されてもよい。または、測定の際に、測定条件の入力を受け付け、測定条件の情報も測定結果データに含めてよい。その場合、ユーザに指定された測定条件に対応付けられた測定値を対象としてもよい。測定条件は、たとえば、測定場所（たとえば、職場、家など）、および、服薬結果のうちいずれかを含む。
【００９０】
なお、本実施の形態では、統計値として平均値を採用したが、統計値であれば、たとえば、最頻値、最大値、最小値、偏差、重み付け平均などであってもよい。また、複数回分の測定値の統計値に加え／代えて、複数回分の測定値のトレンドグラフや変化率を算出してもよい。
【００９１】
＜変形例＞
次に、本発明の実施の形態１の変形例について説明する。ここでは、上述のように、特定制御部１０４は、信頼率算出部１１２および抽出部１１４をさらに含む。
【００９２】
信頼率算出部１１２は、Ｎ回分の測定結果データに基づいて、各測定値の信頼率を算出する。抽出部１１４は、信頼率算出部１１２により算出された信頼率に基づいて、Ｎ回分の測定値のうち、除外候補となる測定値を抽出する。
【００９３】
図１３は、本発明の実施の形態１の変形例における血圧測定処理の流れを示すフローチャートである。なお、図７に示したフローチャートの処理と同一の処理については、同じステップ番号を付してある。したがって、これらの処理についての説明は繰返さない。
【００９４】
図１３を参照して、本変形例では、ステップＳ２００とステップＳ２０２との処理の間に、ステップＳ３００，Ｓ３０２の処理が挿入される。また、ステップＳ２０２に代えて、ステップＳ２０２Ａの処理が実行される。
【００９５】
ステップＳ３００において、信頼率算出部１１２は、Ｎ回分の血圧値の信頼率を算出する。信頼率の算出は、たとえば、脈波振幅値列にたとえばメディアン処理が施されて平滑化される際の修正率を利用することができる。具体的には、「信頼率（％）＝１００−修正率」として算出可能である。修正率の算出は、たとえば特開平７−２３６６１７号公報に示されるように、従来より行なわれている。なお、信頼率の算出方法は、特に限定されるものではなく、上記以外の方法を用いてもよい。
【００９６】
ステップＳ３０２において、抽出部１１４は、ステップＳ３００で算出された信頼率に基づいて、Ｎ個の血圧値のうち除外候補となる血圧値を抽出する。具体的には、たとえば、信頼率が特定値未満の血圧値が除外候補として決定される。ここでの特定値は、所定の値（たとえば８０％）であってもよいし、ユーザにより設定された値であってもよい。
【００９７】
ステップＳ２０２Ａでは、ステップＳ３０２で除外候補として抽出された血圧値に関する測定データを、他の測定データと識別可能に表示する。表示画面の一例を図１４に示す。
【００９８】
図１４を参照して、領域６１には、６個分の血圧値の平均値が表示されているが、測定結果リスト６２を構成する６つの測定データのうち、除外候補として決定された上から２番目の測定データの近傍に、たとえば所定のマーク６５が表示されている。これにより、医療従事者は、除外対象とする測定データを判断し易くなる。
【００９９】
なお、ここでは、除外候補を抽出し、除外候補とされた測定データを他の測定データと識別可能に表示することとしたが、これに加え／代えて、ステップＳ３００で算出された各測定値の信頼率を、測定値と関連付けて表示することとしてもよい。
【０１００】
［実施の形態２］
上記実施の形態１およびその変形例では、生体情報表示装置は、生体情報（たとえば血圧）の測定と、統計処理（統計値の算出および表示）の両方を行なうものであった。これに対し、本発明の実施の形態２では、各処理を異なる装置で実行させる。
【０１０１】
本実施の形態でも生体情報は血圧であるものとし、以下に、上記実施の形態１と異なる部分のみ説明する。
【０１０２】
図１５は、本発明の実施の形態２における生体情報表示システム１０００の概念を示す図である。
【０１０３】
図１５を参照して、生体情報表示システム１０００は、生体情報測定装置３００および生体情報表示装置２００を備える。生体情報測定装置３００は、院外など家庭内で使用される。生体情報測定装置３００は、血圧測定情報を着脱可能な記録媒体１３２に記録する。生体情報表示装置２００は、記録媒体１３２から血圧測定情報を読出すことで、生体情報測定装置３００で測定された血圧値に基づいて、統計値の算出および表示処理を行なう。
【０１０４】
生体情報測定装置３００は、たとえば携帯型の血圧計であってよい。生体情報測定装置３００のハードウェア構成は、図２に示した構成と同様である。ただし、認証情報検出部４８は含まれなくてよい。本実施の形態における生体情報表示装置２００は、一般的なＰＣ（パーソナルコンピュータ）であってよい。
【０１０５】
記録媒体１３２に記録される血圧測定情報は、たとえば、図８に示した複数の測定結果データを含む。
【０１０６】
図１６は、生体情報表示装置２００のハードウェア構成の一例を示すハードウェアブロック図である。
【０１０７】
図１６を参照して、生体情報表示装置２００は、本体２１０と、モニタ２２０と、キーボード２３０と、マウス２４０とを備え、本体２１０は、ＣＰＵ２１１と、メモリ２１２と、記憶装置である固定ディスク２１３と、ＦＤ（Flexible Disk）駆動装置２１４と、ＣＤ−ＲＯＭ（Compact Disk-Read Only Memory)駆動装置２１５と、インターフェイス部２１６とを含む。これらのハードウェアは、相互にバスで接続されている。
【０１０８】
ＦＤ駆動装置２１４にはＦＤ２１４ａが装着され、ＣＤ−ＲＯＭ駆動装置２１５にはＣＤ−ＲＯＭ２１５ａが装着される。本実施の形態に従う生体情報表示装置２００は、ＣＰＵ２１１がメモリ２１２などのハードウェアを用いて、ソフトウェアを実行することで実現される。一般的に、このようなソフトウェアは、ＦＤ２１４ａやＣＤ−ＲＯＭ２１５ａなどの記録媒体に格納されて、またはネットワークなどを介して流通する。そして、このようなソフトウェアは、ＦＤ駆動装置２１４やＣＤ−ＲＯＭ駆動装置２１５などにより記録媒体から読取られて、または通信インターフェイス（図示しない）にて受信されて、固定ディスク２１３に格納される。さらに、固定ディスク２１３からメモリ２１２に読出されて、ＣＰＵ２１１により実行される。
【０１０９】
モニタ２２０は、ＣＰＵ２１１が出力する血圧情報などを表示するための表示部であって、一例としてＬＣＤ（Liquid Crystal Display）やＣＲＴ（Cathode Ray Tube）などから構成される。マウス２４０は、クリックやスライドなどの動作に応じたユーザ（代表的に、専門医などの診断実施者）からの指令を受付ける。キーボード２３０は、入力されるキーに応じたユーザから指令を受付ける。ＣＰＵ２１１は、プログラムされた命令を順次実行することで、各種の演算を実施する演算処理部である。メモリ２１２は、ＣＰＵ２１１のプログラム実行に応じて各種の情報を記憶する。インターフェイス部２１６は、生体情報測定装置３００による血圧測定情報を受取るための部位であり、本実施の形態においては記録媒体１３２を装着可能なスロットおよびそのスロットを制御する周辺回路などから構成される。なお、記録媒体１３２を装着可能なスロットに代えて、生体情報測定装置３００とデータ通信可能な通信インターフェイス部として構成してもよい。固定ディスク２１３は、ＣＰＵ２１１が実行するプログラムや、生体情報測定装置３００から受取った血圧測定情報を格納する不揮発性の記憶装置である。また、生体情報表示装置２００には、必要に応じてプリンタなどの他の出力装置が接続されてもよい。
【０１１０】
ＣＰＵ２１１は、固定ディスク２１３に格納した血圧測定情報に基づいて、統計値の算出に用いる血圧値の特定、統計値の算出および表示等の制御を行なう。
【０１１１】
生体情報測定装置３００のＣＰＵ１００は、図３に示した実施の形態１の機能ブロックのうち、測定処理部１０２の機能を少なくとも含む。具体的には、ＣＰＵ１００は、図７のフローチャートのうち、ステップＳ１０２〜Ｓ１１０の処理を実行する。なお、ステップＳ１０９では、測定結果を直接記録媒体１３２に記録してもよい。また、生体情報測定装置３００が連続測定の機能を有していない場合には、ステップＳ１１０の処理（回数の判断）は実行されなくてよい。
【０１１２】
生体情報表示装置２００のＣＰＵ２１１は、図３に示した実施の形態１の機能ブロックのうち、特定制御部１０４および統計値算出部１０６の機能を少なくとも含む。ＣＰＵ２１１は、まず、固定ディスク２１３よりたとえば直近に測定されたＮ回分の測定結果データを読出し、図１０のフローチャートに示す一連の統計処理を実行する。
【０１１３】
なお、上述のような生体情報表示装置１，２００が行なう統計処理方法を、プログラムとして提供することもできる。本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１１４】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１６】
【図１】本発明の実施の形態１における生体情報表示装置の外観斜視図である。
【図２】本発明の実施の形態１における生体情報表示装置のハードウェア構成を表わすブロック図である。
【図３】本発明の実施の形態１における生体情報表示装置の機能構成を示す機能ブロック図である。
【図４】カフ圧が徐々に減圧される過程で得られる脈波振幅の典型例を示す図である。
【図５】オシロメトリック法による血圧算出方法を説明するための図である。
【図６】脈波にノイズが混入した場合の脈波振幅の例を示す図である。
【図７】本発明の実施の形態１における血圧測定処理の流れを示すフローチャートである。
【図８】フラッシュメモリのデータ構造の一例を示す図である。
【図９】測定結果データに含まれる脈波関連情報のデータ構造の一例を示す図である。
【図１０】本発明の実施の形態１における統計処理を示すフローチャートである。
【図１１】本発明の実施の形態１における統計処理の際に表示される画面の遷移例を示す図である。
【図１２】本発明の実施の形態１における統計処理の際に表示される画面の他の遷移例を示す図である。
【図１３】本発明の実施の形態１の変形例における血圧測定処理の流れを示すフローチャートである。
【図１４】図１３のステップＳ２０２Ａで表示される画面の一例を示す図である。
【図１５】本発明の実施の形態２における生体情報表示システムの概念を示す図である。
【図１６】本発明の実施の形態２における生体情報表示装置のハードウェア構成の一例を示すハードウェアブロック図である。
【符号の説明】
【０１１７】
１，２００  生体情報表示装置、１０  本体部、２０  カフ、２１  空気袋、３０  エア系、３１  エアチューブ、３２  圧力センサ、３３  発振回路、３４  弁、４０  表示部、４１  操作部、４１Ａ  電源スイッチ、４１Ｂ  測定スイッチ、４１Ｃ  設定スイッチ、４１Ｄ  カーソルスイッチ、４２  メモリ部、４３  フラッシュメモリ、４４  電源、４５  計時部、４６  データ入出力部、４８  認証情報検出部、５０  調整機構、５１  ポンプ、５２  弁、５３  ポンプ駆動回路、５４  弁駆動回路、１００  ＣＰＵ、１０２  測定処理部、１０４  特定制御部、１０６  統計値算出部、１１２  信頼率算出部、１１４  抽出部、１１６  特定処理部、１３２  記録媒体、２１０  本体、２１１  ＣＰＵ、２１２  メモリ、２１３  固定ディスク、２１４  ＦＤ駆動装置、２１５  ＣＤ−ＲＯＭ駆動装置、２１６  インターフェイス部、２２０  モニタ、２３０  キーボード、２４０  マウス、３００生体情報測定装置、４１１  左方向スイッチ、４１２  右方向スイッチ、４１３  上方向スイッチ、４１４  下方向スイッチ、４１５  決定スイッチ、１０００  生体情報表示システム。
【図１】
2010088576.tif 000003
【図２】
2010088576.tif 000004
【図３】
2010088576.tif 000005
【図４】
2010088576.tif 000006
【図５】
2010088576.tif 000007
【図６】
2010088576.tif 000008
【図７】
2010088576.tif 000009
【図８】
2010088576.tif 000010
【図９】
2010088576.tif 000011
【図１０】
2010088576.tif 000012
【図１１】
2010088576.tif 000013
【図１２】
2010088576.tif 000014
【図１３】
2010088576.tif 000015
【図１４】
2010088576.tif 000016
【図１５】
2010088576.tif 000017
【図１６】
2010088576.tif 000018